(57)【要約】【課題】デジタルプリント機のメディア水平保持装置を提供する。【解決手段】  給紙ローラーから供給されるメディアＡにプリントし、給紙ローラーを巻き上げる構成において、メディアの水平を保持するためのメディア支持台６６の内側の中空部７４内に設けられた回転軸８０を備え、前記回転軸８０の両側にピニオンギヤー８４を設ける。ガイド部材に固定されたラックギヤー５６により、メディア水平保持手段が上下に移動する時、常にメディアＡの水平を保持することができる。【選択図】図８
2005154142.tif 000002
【特許請求の範囲】
【請求項１】
メディアを供給する給紙ローラーと、前記給紙ローラーから供給されたメディアにプリントするようにベースに設けられたヘッド部と、前記ヘッド部でプリントされたメディアを巻き上げる巻きローラーと、前記ベースを支持するレッグとを備えるプリント機においてプリントされたメディアの巻き上げ時においてメディアを水平に保持するメディア水平保持装置において、
前記レッグのそれぞれの内側面に対称に設けられ、上下に開放された上下ガイド孔が形成されたガイド部材と、
前記ガイド部材の内側面に固定され、側面にギヤー歯が形成されたラックギヤーと、
前記ラックギヤーに歯合されるピニオンギヤーが結合され、前記メディアに不均等な水平力が加えられても水平を保ちながら上下に移動するメディア水平保持手段とを備えることを特徴とするメディア水平保持装置。
【請求項２】
前記ガイド部材の側面には前記ピニオンギヤー及び水平保持手段が挿入される挿入孔が形成されていることを特徴とする請求項１に記載のメディア水平保持装置。
【請求項３】
前記メディア水平保持手段は、前記メディアを自重で引くとともに、内部に中空部が形成されたメディア支持台と、前記メディア支持台の中空部内に挿入設置され、両側端部に設けられた二つのピニオンギヤーを前記メディア支持台に対して同時に回転させる回転軸と、前記メディア支持台の両側端部に嵌め部が挿入設置されて回転軸を第１軸ベアリング及び第２軸ベアリングにより摩擦無しに安定的に回転させる軸固定体とを含むことを特徴とする請求項１に記載のメディア水平保持装置。
【請求項４】
前記ガイド部材の上下ガイド孔の内側には、折曲部が形成され、且つベアリングガイド部材が前記折曲部に固定され、前記ベアリングガイド部材に接触した状態で前記メディア水平保持手段の移動をガイドするように前記回転軸に複数のガイドベアリングを設けたことを特徴とする請求項１に記載のメディア水平保持装置。
【請求項５】
前記回転軸に設けられたガイドベアリングの側方への移動を防止するための離脱防止部材を前記ガイド部材の内側面に固定したことを特徴とする請求項１或いは請求項４に記載のメディア水平保持装置。
【発明の詳細な説明】
【技術分野】
【０００１】
本発明はデジタルプリント機のメディア水平保持装置に関し、特に、給紙ローラーから供給されるメディアにプリントし、プリントされたメディアを給紙ローラーに巻き上げる構成のデジタルプリント機において、プリントされたメディアの巻き上げ時に、メディアを水平に保持するデジタルプリント機のメディア水平保持装置に関する。
【背景技術】
【０００２】
一般的に、デジタルプリント機(Digital Printing Machine)は、デジタル制御部で所望の図案に対応する出力信号をデジタル化してインク滴を噴射するヘッド(Head)にマゼンタ(Ｍ)、イエロー(Ｙ)、シアン(Ｃ)の三原色を供給して色をプリント用紙(以下、メディアという)に塗り付けていろいろな色を作り出す減算混合法を利用して使用者が所望する図案を描き上げる最新のプリント機である。
【０００３】
前記減算混合法を使用するためにはそれぞれの色を有するインクが個別的に受容されてそれぞれの色を走査するヘッドに供給されてそれぞれのヘッドから走査される色のインクがさらに塗り付けられることにより新たな色が現れる。
【０００４】
図１は従来のデジタルプリント機を示した要部斜視図であり、図２は従来のデジタルプリント機のメディア水平保持装置の構成を示した図であり、図３は従来のメディア水平保持装置の作動状態を示した図である。
【０００５】
従来のデジタルプリント機の使用状態を見てみると、両側のレッグ１により支持されるベース３の上部にレール状の移送台５を設け、前記移送台５にはヘッド部７を一側に固定させたカートリッジ９が移送可能に結合されている。
【０００６】
そして、前記ベース３の上面にはデジタルプリント機の背面に設けられた給紙ローラー１１からプリント用紙であるメディア(Media)が供給され、前記メディアの上面でカートリッジ９が左右に往復して移送されると、これに連動してヘッド部７から所定色のインクが走査されて印刷作業が行われ、前記給紙ローラー１１の反対側において、巻きローラー１２に印刷されたメディアＡが巻かれる。
【０００７】
「メディア」は当業界では周知の用語であって、前記ヘッド部７により噴射されるインクが塗り付けられる紙や布等の対象物のことをいう。
前記ベース３の一側の上部にはカバー１５により覆われる作動パネル１６が形成されており、使用者が希望するパラメータを入力してメディアＡを希望する状態にプリントできる。
【０００８】
前記レッグ１の一側にはマゼンタ(Ｍ)、イエロー(Ｙ)、シアン(Ｃ)及び黒色(Ｋ)等をそれぞれ供給する四つのメインインク箱１３がインク保管ケース１４に保管された状態で設けられる。
【０００９】
さらに、前記カートリッジ９のヘッド部７の反対側には補助インク箱１７が設けられて前記ヘッド部７にインクを供給し、前記補助インク箱１７には前記メインインク箱１３からインクが供給される。
【００１０】
加えて、図２に示したように、前記メディアＡが、前記給紙ローラー１１から供給されて印刷された後、巻きローラー１２に巻かれる時、メディアＡが水平を保持し一定の張力を持つように前記巻きローラー１２よりも内側の低位置にメディア水平保持棒３０が設けられる。
【００１１】
前記メディア水平保持棒３０は、レッグ１の内側面に固定面部２４が接触した状態で多数の締付部材２６により締め付けられるガイド部材２０のガイド孔２２に、係止部２８によりガイドローラー３２が離脱防止された状態で挿入設置される。前記メディア水平保持棒３０は、前記メディアＡの移送速度による張力の変化に応じて上下に移動しながらメディアＡの水平を保持する。
【００１２】
前記メディア水平保持棒３０は前記二つのガイドローラー３２が別個に構成されているので、両側端部の高低が異なる状態で動作し得る。
【特許文献１】韓国実用新案登録第２０−０３００８８８号明細書
【発明の開示】
【発明が解決しようとする課題】
【００１３】
ところが、図３に示したように、プリントされる前記メディアＡの幅が狭くてメディアＡが右側に傾いてプリントされる時、メディアＡを支持する前記メディア水平保持棒３０の、メディアＡから両側に突出した部分の長さが左右で異なる場合、例えば、左側部分が長くて右側部分が短い場合には、メディアＡに加えられる張力が左側部分で大きくなるために左側で過荷重が加えられるようになる。
【００１４】
従って、前記メディアＡの水平を保持するメディア水平保持棒３０が左側に傾くことにより、支持するメディアＡの水平が保持されず傾くためにメディアＡを正確にプリントできない上に巻きローラー１２にメディアＡが正確に巻かれない問題点がある。
【００１５】
本発明は、前記のような問題点を勘案して案出されたものであり、給紙ローラーから供給されるメディアにプリントし、プリントされたメディアを給紙ローラーに巻き上げるプリント機において、メディアの巻き上げ時に、メディアを水平に保持することにその目的がある。
【課題を解決するための手段】
【００１６】
上記の目的を達成するために、本発明のメディア水平保持装置は、メディアを供給する給紙ローラーと、前記給紙ローラーから供給されたメディアにプリントするようにベースに設けられたヘッド部と、前記ヘッド部でプリントされたメディアを巻き上げる巻きローラーと、前記ベースを支持するレッグとを備えるデジタルプリント機においてプリントされたメディアの巻き上げ時においてメディアを水平に保持するメディア水平保持装置であって前記レッグのそれぞれの内側面に対称に設けられ、上下に開放された上下ガイド孔が形成されたガイド部材と、前記ガイド部材の内側面に締め付け固定され、側面にギヤー歯が形成されたラックギヤーと、前記ラックギヤーに歯合されるピニオンギヤーが結合され、前記メディアに不均等な水平力が加えられても水平を保ちながら上下に移動すメディア水平保持手段とを含む。
【００１７】
さらに、前記ガイド部材の側面には前記ピニオンギヤー及び水平保持手段が挿入される挿入孔を形成することが望ましい。
さらに、前記メディア水平保持手段は、前記メディアを自重で引くとともに、内部に中空部が形成されたメディア支持台と、前記メディア支持台の中空部内に挿入設置され、両側端部に設けられた二つのピニオンギヤーを前記メディア支持台に対して同時に回転させる回転軸と、前記メディア支持台の両側端部に嵌め部を挿入設置して回転軸を第１、第２軸ベアリングにより摩擦無しに安定的に回転させる軸固定体とを含む。
【００１８】
尚さらに、前記ガイド部材の上下ガイド孔の内側には、折曲部を形成して、且つベアリングガイド部材を前記折曲部に固定し、前記ベアリングガイド部材に接触した状態で前記メディア水平保持手段の移動をガイドするように前記回転軸に複数のガイドベアリングを設ける。
【００１９】
さらに、前記回転軸に設けられたガイドベアリングの側方への移動を防止するための離脱防止部材を前記ガイド部材の内側面に固定することが望ましい。
【発明の効果】
【００２０】
本発明によるメディア水平保持装置は、プリントされたメディアの巻き上げ時において、メディアを安定して水平に保持するのに非常に有用で効果的な発明である。
【発明を実施するための最良の形態】
【００２１】
以下、本発明による実施形態を、添付した図面を参照して詳細に説明する。図４に示すように、本発明の一実施形態のメディア水平保持装置は、デジタルプリント機に設けられる。前記デジタルプリント機は、メディアを供給する給紙ローラー１１と、前記給紙ローラー１１から供給されたメディアＡにインク滴を噴射してプリントするようにベース３に設けられて水平移動するヘッド部７と、前記ヘッド部７でプリントされたメディアを巻き上げる巻きローラー１２と、前記ベース３の底面に設けられて荷重を支持するレッグ１とを備える。メディア水平保持装置は、更に、図５及び図６に示すように、前記レッグ１のそれぞれの内側面に対称に固定面部４８が接触した状態で多数の第４締付部材６５により締付固定され、上下に開放された上下ガイド孔６１が形成されたガイド部材４０と、前記ガイド部材４０の側面に形成された嵌め孔５０に嵌め込まれた多数の第１締付部材５２とネジ孔５４とにより前記ガイド部材４０の内側面に締め付け固定され、且つ一側面にギヤー歯が形成されたラックギヤー５６と、前記ラックギヤー５６に歯合されるピニオンギヤー８４が結合され、前記メディアＡに不均等な水平力が加えられても常に水平を保ちながら上下に移動するメディア水平保持手段６４とを備える。
【００２２】
さらに、前記ガイド部材４０の上部の一側面には前記ピニオンギヤー８４及び水平保持手段６４が挿入される挿入孔部４２が形成されている。
なお、図８に示すように、前記メディア水平保持手段６４は、前記メディアＡを自重で引くとともに、内部に中空部７４が形成されたメディア支持台６６と、前記メディア支持台６６の中空部７４内に挿入設置され、両側端部に設けられた二つのピニオンギヤー８４を前記メディア支持台６６に対して同時に回転させる回転軸８０と、前記メディア支持台６６の両側端部に嵌め部７６を挿入設置して回転軸８０を第１、第２軸ベアリング７２、７８により摩擦無しに安定的に回転させる軸固定体６８とを含む。
【００２３】
前記第１軸ベアリング７２は、前記軸固定体６８の係止孔７０に圧入されて固定され、前記第２軸ベアリング７８は前記第１軸ベアリング７２に比べて小さいサイズのものを使用しても差し支えない。
【００２４】
そして、図７に示すように、前記ガイド部材４０の上下ガイド孔６１の内側には折曲部４４を形成してベアリングガイド部材４６を第３締付部材６２により締結固定し、前記ベアリングガイド部材４６に接触した状態で前記メディア水平保持手段６４の移動をガイドできるように前記回転軸８０に複数のガイドベアリング８２を設ける。
【００２５】
さらに、前記回転軸８０に設けられたガイドベアリング８２の側方への移動を防止するために、前記ガイド部材４０の内側面に多数の第２締付部材５８により固定される離脱防止部材６０を設置する。
【００２６】
また、前記第１、第２、第３、第４締付部材５２、５８、６２、６５としてはネジ、ボルト等を使用することが望ましい。
なお、前記回転軸８０は前記ピニオンギヤー８４の軸嵌め突部８６に挿入され、軸固定ネジ８８により固定される。
【００２７】
以下、添付した図面を参照して本発明の作用及び効果を見てみることにする。
本発明によるメディア水平保持装置の組立状態を見てみると、図５及び図６に示すように、前記レッグ１の内側面に二つのガイド部材４０が固定面部４８と接触した状態で多数の第４締付部材６５により締結固定される。
【００２８】
また、ラックギヤー５６を、前記ガイド部材４０の内側面に接触させ、嵌め孔５０に嵌められる第１締付部材５２をネジ孔５４に締め付けて固定する。
そして、前記ガイド部材４０の前面部には上下方向に切開された上下ガイド孔６１が形成され、その側面に挿入孔部４２を連通して形成する。
【００２９】
なお、前記上下ガイド孔６１の内側に折曲部４４を形成し、第２締付部材５８により締め付けられるベアリングガイド部材４６を設ける。
さらに、図７に示すように、前記ベアリングガイド部材４６の反対側には前記ガイドベアリング８２が外側に移動することを遮るために第２締付部材５８により固定される離脱防止部材６０を設ける。
【００３０】
図８に示すように、前記メディア水平保持手段６４のメディア支持台６６の両側端部には軸固定体６８の嵌め部７６を圧入して固定させ、前記軸固定体６８の係止孔７０には第１軸ベアリング７２を圧入して固定させ、係止孔７０の端部の内側には第２軸ベアリング７８を圧入して固定させる。
【００３１】
また、前記回転軸８０の両側の端部には軸嵌め突部８６に軸固定ネジ８８を使用してピニオンギヤー８４を固定させる。
そして、前記ピニオンギヤー８４と軸固定体６８との間にはガイドベアリング８２が設けられる。
【００３２】
そして、前記メディア水平保持手段６４のピニオンギヤー８４とガイドベアリング８２は、前記ガイド部材４０の挿入孔部４２に挿入されて上下ガイド孔６１に嵌め込まれる。
このような構成の状態で、前記給紙ローラー１１から供給されるメディアＡは、前記ベース３に設けられたヘッド部７を通りながらプリントされ、メディア水平保持手段６４のメディア支持台６６で水平が保持された状態で巻きローラー１２に巻かれる。
【００３３】
一方、前記メディアＡのサイズが小さくてメディア水平保持手段６４の右側或いは左側の片方に傾いて移動する場合、図３に示したように、メディア支持台６６に偏心荷重が加えられる。
【００３４】
このとき、前記メディア支持台６６に加えられる左側及び右側の荷重に偏差が生じてメディア支持台６６の水平を外れようとする力が加えられるにも係わらず、前記二つのピニオンギヤー８４がラックギヤー５６と噛み合った状態で回転軸８０により同時に回転しながら上下に移動するので、前記メディア支持台６６が常に水平を保持できる。
【００３５】
即ち、前記メディアＡにより前記メディア支持台６６に偏心荷重が加えられて左側或いは右側の何れか一つのピニオンギヤー８４に過度な力が作用しても、結局回転軸８０により、反対側に設けられた外のピニオンギヤー８４も同じく同時に回転しながらラックギヤー５６を上り下りするので、前記メディア水平保持手段６４は必ず水平を保持できる。
【００３６】
前記メディアＡが高速で移動する場合、前記メディア水平保持手段６４がメディアＡの張力を受けてガイド部材４０の上下ガイド孔６１に沿って上方に移動する。
そして、前記メディアＡの移動が鈍くなって張力が緩和される場合、前記メディア水平保持手段６４がガイド部材４０の上下ガイド孔６１に沿って下方に移動しながらメディアＡの張力を一定に保持するので、安定的にメディアＡが巻きローラー１２に巻かれる。
【００３７】
前記メディア支持台６６がメディアＡの移送速度の変化により上下に移動すると、ピニオンギヤー８４がラックギヤー５６に沿って回転しながら回転軸８０が、メディア支持台６６の両側端に固定された軸固定体６８の内に設けられた第１軸ベアリング７２及び第２軸ベアリング７８により摩擦無しに回転するようになる。
【００３８】
なお、前記回転軸８０に結合されたガイドベアリング８２も同じくベアリングガイド部材４６に沿って移動しながらメディア水平保持手段６４の上下移動をガイドする。
前記ガイドベアリング８２の側方には、第２締付部材５８によりガイド部材４０に結合された離脱防止部材６０があって、メディア水平保持手段６４が側方に離脱することを防止する。
【００３９】
前述の如き、本実施形態のメディア水平保持装置は、給紙ローラーから供給されるメディアにプリントし、プリントされたメディアを給紙ローラーに巻き上げる構成において、メディアの水平を保持するためのメディア水平保持手段の内側の中空部に回転軸を備え、前記回転軸の両側にピニオンギヤーを設けて、ガイド部材に固定されたラックギヤーにより、メディア水平保持手段が常に水平を保持しながら上下に移動する。従って、常にメディアを水平に保持しながら、安定的に巻きローラーに巻かれるようにするために非常に有用で効果的である。
【図面の簡単な説明】
【００４０】
【図１】従来のデジタルプリント機を示した要部斜視図。
【図２】従来のデジタルプリント機のメディア水平保持装置の構成を示した図。
【図３】従来のメディア水平保持装置の作動状態を示した図。
【図４】本発明によるメディア水平保持装置を持つデジタルプリント機を示した斜視図。
【図５】本発明によるデジタルプリント機のメディア水平保持装置の構成を示した分解斜視図。
【図６】本発明によるデジタルプリント機のメディア水平保持装置を示した組立斜視図。
【図７】本発明によるメディア水平保持装置を上から見た状態を示した平面図。
【図８】本発明によるメディア水平保持装置が作動する状態を示した部分断面図。
【符号の説明】
【００４１】
１：レッグ                   ３：ベース
７：ヘッド部                 １１：給紙ローラー
１２：巻きローラー           ４０：ガイド部材
４２：挿入孔部               ４４：折曲部
４６：ベアリングガイド部材   ４８：固定面部
５０：嵌め孔                 ５２：第１締付部材
５４：ネジ孔                 ５６：ラックギヤー
５８：第２締付部材           ６０：離脱防止部材
６２：第３締付部材           ６４：メディア水平保持手段
６５：第４締付部材           ６６：メディア支持台
６８：軸固定体               ７０：係止孔
７２：第１軸ベアリング       ７４：中空部
７６：嵌め部                 ７８：第２軸ベアリング
８０：回転軸                 ８２：ガイドベアリング
８４：ピニオンギヤー         ８６：軸嵌め突部
８８：軸固定ネジ               Ａ：メディア
【図１】
2005154142.tif 000003
【図２】
2005154142.tif 000004
【図３】
2005154142.tif 000005
【図４】
2005154142.tif 000006
【図５】
2005154142.tif 000007
【図６】
2005154142.tif 000008
【図７】
2005154142.tif 000009
【図８】
2005154142.tif 000010